(57)【特許請求の範囲】
【請求項１】
前身頃と、
後身頃と
を備えた身体の上半身を覆う衣類であって、
前記前身頃の左右両肩部にそれぞれに第１の膨出部材を収納するように構成された、第１の収納部と、
前記前身頃の胸部より下部に設けられた、少なくとも１つの第３の収納部と、
を有し、
前記第３の収納部には、第３の膨出部材を収納するように構成されており、
前記第１の収納部と前記第３の収納部との間の胸部に対応する部位には収納部を有さない、
衣類。
【請求項２】
前記前身頃と後身頃との間の左右両方にそれぞれ側部をさらに備え、
前記左右両方の側部にそれぞれ、第２の収納部を有し、
前記第２の収納部には、第２の膨出部材が収納されるように構成されている、請求項１に記載の衣類。
【請求項３】
前記前身頃は、表地および裏地を含み、
前記裏地が前記第１の収納部および前記第３の収納部を有する、請求項１または請求項２に記載の衣類。
【請求項４】
前身頃と、
後身頃と、
前記前身頃と後身頃との間の左右両方にそれぞれ側部と
を備えた身体の上半身を覆う衣類であって、
前記前身頃の左右両肩部にそれぞれに第１の膨出部材を収納するように構成された、第１の収納部と、
前記左右両方の側部にそれぞれ、第２の収納部と、
を有し、
前記第２の収納部には、第２の膨出部材が収納されるように構成されており、
前記第１の収納部の下の胸部に対応する部位には収納部を有さない、
衣類。
【請求項５】
前記前身頃は、表地および裏地を含み、
前記裏地が前記第１の収納部を有する、請求項４に記載の衣類。
【請求項６】
前記裏地は、前記前身頃の肩部と腹部との間に設けられ、前記表地よりも短い、請求項３または５に記載の衣類。
【請求項７】
前記側部は、前記前身頃および前記後身頃に縫合または接着によって繋ぎ合わされており、約２５０〜３５０％の伸縮率を有する布地を含む、請求項２または請求項４に記載の衣類。
【請求項８】
前記第１の収納部は、左右の両肩部にわたって延びる１つの収納部である、請求項１〜７のいずれか一項に記載の衣類。
【発明の詳細な説明】
【技術分野】
【０００１】
本発明は、衣類に関し、特に、性同一性障害を持つ女性の上半身を覆うための衣類に関するものである。
【背景技術】
【０００２】
従来から、女性用の下着には、身体のラインを女性らしく美しく見せるブラジャー、ガードル、ボディースーツなどがある。
【０００３】
また近年は、男性が身体を男らしく見せるために着用する体形補正具も開発されている。例えば、特許文献１には、このような体形補正具として、衣服を通して腹筋が浮き上がって見えるようにしたものが開示されている。
【先行技術文献】
【特許文献】
【０００４】
【特許文献１】登録実用新案第３２０２１４７号公報
【発明の概要】
【発明が解決しようとする課題】
【０００５】
ところで、性同一性障害を持つ女性にとって女性用の下着を着用することは精神的なストレスになる。そのため、そのような女性は、むしろ男性用の下着を身に着けたり、身体を男性らしく見せるための体形補正具を着用したりすることで、精神的なストレスを回避する傾向にある。
【０００６】
しかしながら、特許文献１に記載の体形補正具は、腹部を男性のように腹筋が浮き上がった形状に見せるものであるが、それ以外の部分、また身体全体を男性しく見せることができなかった。
【０００７】
本発明は、上半身を覆う衣類を女性が着用したときに女性に特徴的なボディーラインの形成を抑制し、男性的に見せることができる衣類を提供することを目的とする。
【課題を解決するための手段】
【０００８】
本発明は、以下の項目を提供する。
【０００９】
（項目１）
前身頃と、
後身頃と
を備えた身体の上半身を覆う衣類であって、
前記前身頃の左右両肩部の少なくとも一方に第１の収納部が設けられ、
前記第１の収納部は、第１の膨出部材を収納するように構成されている、衣類。
【００１０】
（項目２）
前身頃と、
後身頃と、
前記前身頃と後身頃との間の左右少なくとも一方に側部
を備えた身体の上半身を覆う衣類であって、
前記側部は、第２の収納部を有し、
前記第２の収納部には、第２の膨出部材が収納されるように構成されている、衣類。
【００１１】
（項目３）
前記前身頃と後身頃との間の左右少なくとも一方に側部をさらに備え、
前記側部は、第２の収納部を有し、
前記第２の収納部には、第２の膨出部材が収納されるように構成されている、項目１に記載の衣類。
【００１２】
（項目４）
前記前身頃の胸部より下部に、少なくとも１つの第３の収納部が設けられ、
前記第３の収納部には、第３の膨出部材を収納するように構成されている、項目１から項目３のいずれか一項に記載の衣類。
【００１３】
（項目５）
前記前身頃は、表地および裏地を含み、
前記裏地は、伸縮性布地を含む、項目１から項目４のいずれか一項に記載の衣類。
【発明の効果】
【００１４】
本発明によれば、上半身を覆う衣類を女性が着用したときに女性に特徴的なボディーラインの形成を抑制し、男性的に見せることができる衣類を得ることができる。
【図面の簡単な説明】
【００１５】
【図１】図１は、上半身を覆う衣類１００の構造を説明するための図であり、図１（ａ）は前側から見た衣類１００の形状を示し、図１（ｂ）は後側から見た衣類１００の形状を示す。
【図２】図２は、図１に示す上半身を覆う衣類１００を裏返し、前身頃１０１、後身頃１０３および左右の側部１０２の構造を説明するための図である。
【図３】図３は、図２に示す前身頃１０１を表地１０１ａと裏地１０１ｂとに分解して示す図である。
【図４】図４は、本発明の上半身用衣類１００と従来の上半身用衣類１００ａとを対比して示し、図４（ａ）および図４（ｂ）はそれぞれ、本発明の上半身用衣類１００の斜視図、上半身用衣類１００を裏返して前身頃１０１の裏側から見た平面図であり、図４（ｃ）および図４（ｄ）はそれぞれ、従来の上半身用衣類１００ａの斜視図、上半身用衣類１００ａを裏返して前身頃１０１の裏側から見た平面図である。
【発明を実施するための形態】
【００１６】
以下、本発明を説明する。本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００１７】
本明細書において、「約」とは、後に続く数字の±１０％の範囲内をいう。
【００１８】
本発明は、上半身を覆う衣類を女性が着用したときに女性に特徴的なボディーラインの形成を抑制し、男性的に見せることができる衣類を提供することを課題とし、
前身頃と、
後身頃と
を備えた身体の上半身を覆う衣類であって、
前記前身頃の左右の肩部の少なくとも一方に第１の収納部が設けられ、
前記第１の収納部は、第１の膨出部材を収納するように構成されている衣類を提供することによって、上記課題を解決した。
【００１９】
また、本発明は、
前身頃と、
後身頃と、
前記前身頃と後身頃との間の左右少なくとも一方に側部
を備えた身体の上半身を覆う衣類であって、
前記側部は、第２の収納部を有し、
前記第２の収納部には、第２の膨出部材が収納されるように構成されている衣類を提供することによって、上記課題を解決した。
【００２０】
すなわち、本発明の上半身を覆う衣類は、前身頃の左右の肩部の少なくとも一方に側部を備え、側部には、第１の膨出部材が収納されるように構成された第１の収納部を備えることにより、着用した際に肩部から胸部にあたって形成される盛り上がりが抑制され、その結果、女性に特徴的なボディーラインの印象を緩和することができる。また、第１の収納部を備えることにより、肩部の周りのサイズが大きくなり、その結果、男性に特徴的な胸厚のボディーラインを形成することが可能となる。
【００２１】
また、本発明の上半身を覆う衣類は、前身頃と後身頃との間の左右少なくとも一方に側部を備え、側部には、第２の膨出部材が収納されるように構成された第２の収納部を備えることにより、着用した際に胸部周りや腰部周りのサイズが大きくなる。その結果、女性に特徴的な胸部から腰部にかけて形成されるくびれのあるボディーラインが抑制される。
【００２２】
従って、１つの実施形態において、本発明の上半身を覆う衣類は、前身頃の左右の肩部の少なくとも一方に側部を備え、側部には、第１の膨出部材が収納されるように構成された第１の収納部を備えているものであれば、その他の構成は任意であり得る。
【００２３】
したがって、上半身を覆う衣類の形態としては、任意の形態でありえる。例えば、Ｔシャツあるいはノースリーブ、キャミソール、スリップなどが挙げられる。好ましい実施形態としては、着用した際に男性的なボディーラインの印象が形成しやすいノースリーブまたはＴシャツである。
【００２４】
本発明の第１の膨出部材は、前身頃の左右の肩部の少なくとも一方に側部に設けられた第１の収納部に収納され、上半身を覆う衣類を着用した際に生じる女性に特徴的な胸の隆起と肩部との間の段差を補うための部材である。
【００２５】
第１の膨出部材の形状や大きさは、着用した際に形成される胸の膨らみにより肩部との間に形成される段差が補えれば任意の形態であり得る。例えば、略平板状、略円板状、略直方体状、略球体状であってもよい。
【００２６】
第１の膨出部材の材質は、任意の材料であり得る。例えば、樹脂、不織布などの弾力性の低い材質であってもよいし、ゴム、ウレタンスポンジ材などの弾力性の高い材質であってもよい。また、第１の膨出部材は、ウレタンスポンジ材など伸縮率の高い材質を伸縮率の少ない布地（例えば、天竺編み、トリコット、スムース、マーキｚ（経編のラッセル編機で編んだもの））で包み込んだクッション部材であってもよいし、不織布など伸縮率の低い材質を上述の伸縮率の少ない布地で包み込んだものであってもよいし、伸縮率の高い布地で包み込んだものであってもよい。
【００２７】
本発明の第１の収納部は、前身頃の左右の肩部の少なくとも一方に設けられ、第１の膨出部材を収納するように構成されている。
【００２８】
また、第１の収納部の形状や大きさは、その中の収納される第１の膨出部材の形状や大きさに応じて任意の形態であり得る。設けられる第１の収納部の数などは任意であり得る。例えば、左右および／または上下に複数設けてもよい。
【００２９】
さらに、第１の収納部はその中に第１の膨出部材を収納した状態で密封していてもよいし、第１の開口を有していてもよい。好ましい実施形態において、第１の収納部は第１の開口を有している。開口を有するようにすることで、第１の膨出部材を交換することが可能となる。
【００３０】
前身頃および後身頃の素材の形態は任意であり得る。表地だけであってもよいし、表地と裏地（裏当て布地）とを備えていてもよい。
【００３１】
例えば、前身頃および後身頃に用いられる素材（表地および／または裏地（裏当て布地））の材質は、特に限定されるものではないが、例えば、ポリエステル、ポリウレタン、コットン、ナイロン、シルク、レーヨン、麻、ウール、またはこれらの任意の組み合わせの繊維を含む布地であり得る。
【００３２】
また、布地の組織は任意であり得る。例えば、編物であってもよいし、織物であってもよい。編物としては、例えば、平編み、丸編み（例えば、天竺編み、フライス編み）などであってもよい。また、織物としては、平織り、綾織りや朱子織りなどであってもよい。
【００３３】
表地および裏地（裏当て布地）の伸縮率は特に限定されるものではないが、好ましい実施形態において、一般に入手可能な布地の伸縮率である約１５０％〜約２００％の範囲である。
【００３４】
なお、前身頃と後身頃とで表地および／または裏地（裏当て布地）の材質を異ならせてもよいし、同じ材質であってもよい。
【００３５】
また、前身頃の裏地は、裏当て布地だけであってもよいし、伸縮率が高い伸縮性布地だけであってもよいし、裏当て布地と伸縮性の高い伸縮性布地とを含むものであってもよい。ここで、伸縮性布地とは、一般に入手可能な布地の伸縮率である約１５０％〜約２００％よりも伸縮率の高い布地のことを言う。好ましい実施形態において、伸縮性布地は、ポリウレタンを含む伸縮率が約２００％〜約３５０％の布地である。
【００３６】
前身頃の裏地に伸縮性布地を設けることによって、上半身を覆う衣類を着用した際に前身頃が肌に沿うように押さえつけることになる。その結果、肩部の第１収納部に収納された第１の膨出部材および／または腹部の第３収納部に収納された第３の膨出部材の盛り上がりをより強調でき、男性に特徴的なボディーラインを形成することが可能となる。
【００３７】
また、裏地を伸縮性布地と裏当て布地とを含むようにすることにより、伸縮性布地による肌への押し付けが緩和され、着用者の着心地を良好にすることが可能となる。
【００３８】
なお、本明細書において、「部材Ａの伸縮率がＸ％」という場合、部材Ａを引っ張ったとき、部材Ａの元の長さに対する最も伸びたときの全体の長さの割合である伸縮率（％）のことを意味する。
【００３９】
また、本発明の上半身を覆う衣類は、前身頃と後身頃との間の左右少なくとも一方に側部を備え、側部には、第２の膨出部材が収納されるように構成された第２の収納部を備えるように構成されているものであれば、その他の構成は任意であり得る。
【００４０】
本発明の第２の膨出部材は、前身頃と後身頃との間の側部に設けられる収納部に収納され、上半身を覆う衣類を着用した際に、胸部周りや腰部周りのサイズを大きくすることによって、女性に特徴的な胸部から腰部にかけて形成されるくびれのあるボディーラインを抑制し、また男性的なボディーラインを形成する部材である。
【００４１】
第２の膨出部材の形状や大きさは、任意の形態であり得る。例えば、略平板状、略円板状、略直方体状、略球体状であってもよい。
【００４２】
第２の膨出部材の材質は、任意の材料であり得る。例えば、剛体（樹脂、シリコン、不織布などの弾力性の低い材質）であってもよいし、弾力性材料（ゴム、ウレタンスポンジ材などの弾力性の高い材質）であってもよい。また、第２の膨出部材は、ウレタンスポンジ材を伸縮率の高い布地で包み込んだクッション部材であってもよいし、不織布などを伸縮率の高い布地で包み込んだものであってもよい。
【００４３】
また、第２の収納部の形状や大きさは、その中の収納される第２の膨出部材の形状や大きさに応じて任意の形態であり得る。設けられる第２の収納部の数などは任意であり得る。例えば、左右および／または上下に複数設けてもよい。
【００４４】
さらに、第２の収納部はその中に第２の膨出部材を収納した状態で密封していてもよいし、第２の開口を有していいてもよい。好ましい実施形態において、第２の収納部は第２の開口を有している。開口を有するようにすることで、第２の膨出部材を交換することが可能となる。
【００４５】
側部の素材の形態は任意であり得る。表地だけであってもよいし、表地と裏地とを備えていてもよい。例えば、側部（表地および／または裏地）の材質は、特に限定されるものではないが、例えば、ポリエステル、ポリウレタン、コットン、ナイロン、シルク、レーヨン、麻、ウール、またはこれらの任意の組み合わせの繊維を含む布地であり得る。
【００４６】
側部に用いる布地（表地および／または裏地）の伸縮率は特に限定されるものではないが、好ましい実施形態において、伸縮率が約２００％〜約３５０％の伸縮性布地である。
【００４７】
なお、側部は表地および裏地の材質を異ならせてもよいし、同じ材質であってもよい。
【００４８】
本発明の上半身を覆う衣類は、前身頃の胸部より下部（例えば、腹部）に、第３の膨出部材を収納するように構成された第３の収納部を少なくとも１つ設けてもよい。
【００４９】
設けられる第３の収納部の数などは任意であり得る。例えば、左右および／または上下に複数設けてもよい。
【００５０】
第３の膨出部材は、第３の収納部に収納されることにより、着用した際に腹部に男性に特徴的な筋肉の盛り上がりのボディーラインを形成する部材である。
【００５１】
第３の膨出部材の形状や大きさは、任意の形態であり得る。例えば、略平板状、略円板状、略直方体状、略球体状であってもよい。また、第３の膨出部材の設ける数は任意であり得る。１つであってもよいし、複数であってもよい。また、複数設ける場合に、上下に設けてもよいし、左右に設けてもよいし、上下かつ左右に設けてもよい。
【００５２】
第３の膨出部材の材質は、任意の材料であり得る。例えば、剛体（樹脂、シリコン、不織布などの弾力性の低い材質）であってもよいし、弾力性材料（ゴム、ウレタンスポンジ材などの弾力性の高い材質）であってもよい。好ましい実施形態において、第３の膨出部材の材質はウレタンスポンジ材を伸縮率の高い布地で包み込んだクッション部材であるが、これに限定されない。例えば、不織布などを伸縮率の高い布地で包み込んだものであってもよい。
【００５３】
また、第３の収納部の形状や大きさは、その中の収納される第３の膨出部材の形状や大きさに応じて任意の形態であり得る。さらに、第３の収納部はその中に第３の膨出部材を収納した状態で密封していてもよいし、第３の開口を有していてもよい。好ましい実施形態において、第３の収納部は第３の開口を有している。開口を有するようにすることで、第３の膨出部材を交換することが可能となる。開口を収納部のどの位置に設けるかは任意であり得る。
【００５４】
（実施形態１）
図１は、上半身を覆う衣類１００の構造を説明するための図であり、図１（ａ）は前側から見た衣類１００の形状を示し、図１（ｂ）は後側から見た衣類１００の形状を示す。
【００５５】
この上半身を覆う衣類１００は、性同一性障害の女性用の下着（ノースリーブ）であり、女性が着用したときに胸部に外見において膨らみが現われる女性に特徴なボディーラインを抑制し、また男性的なボディーラインを形成する構造を有している。
【００５６】
すなわち、この上半身を覆う衣類１００は、前身頃１０１、後身頃１０３、側部１０２を含み、これらを縫合で繋ぎ合わせて形成されている。しかし、繋ぎ合わせる手段は任意であり得る。接着であってもよい。前身頃１０１、後身頃１０３はそれぞれ、約２００％の伸縮率を有する同一種類の布地（表地）で構成されている。また、側部１０２は、約２５０％〜約３５０％の伸縮率を有する伸縮性布地である。
【００５７】
図２は、図１に示す上半身を覆う衣類１００を裏返し、前身頃１０１、後身頃１０３および左右の側部１０２の構造を説明するための図である。
【００５８】
図２に示すように、前身頃１０１の肩部には、左右にそれぞれ１つの略円盤状の第１の膨出部材１１ａを有し、それを収納する第１の収納部１１を有している。また、第１の収納部１１ａには、第１の膨出部材１１ａを出し入れするための開口１１ｂが設けられている。
【００５９】
前身頃１０１の腹部には、上下２段の第３の収納部が設けられ、第３の収納部１３には左右に延びる１つの平板状の第３の膨出部材１３ａが収納されている。また、第３の収納部１３ａには、第３の膨出部材１３ａを出し入れするための開口１３ｂが設けられている。
【００６０】
図３は、図２に示すように、前身頃１０１を、表地１０１ａと裏地１０１ｂとに分解して示す図である。図３に示すように、具体的には、前身頃１０１は、表地１０１ａと裏地１０１ｂとから構成され、また裏地１０１ｂは、裏当て布地１１１と伸縮性布地１１２とから構成されている。表地１０１ａは、例えば、伸縮率が高いポリエステルを含む天竺（ベア天竺）や２ＷＡＹトリコットであり、裏当て布地１１１は、コットンを含む天竺（綿天竺）や綿混トリコットである。それに対して、伸縮性布地１１２は、ポリウレタンを含む伸縮率が約３００％の布地または不織布である。
【００６１】
第１の収納部１１および第３の収納部１３は、それぞれ裏当て布地１１１と伸縮性布地１１２との繋ぎ合わせにより形成される。また、図３に示す実施形態において、裏地１０１ｂ（裏当て布地１１１および伸縮性布地１１２）は前身頃１０１の肩部から腹部までの間に設けているが、本発明はこれに限定されず、肩部から腹部よりも下までであってもよい。
【００６２】
図３に示す実施形態において、第１の収納部１１は左右に延びる形状であり１つ設けているが、これに限定されない。例えば、左右にそれぞれ１つもしくは複数設けてもよい。また、上下に複数設けてもよい。
【００６３】
また、図３に示す実施形態において、第３の収納部１３は、腹部に上下２つ設けているが、これに限定されない。例えば、上下左右にそれぞれ設けてもよいし、上下および左右に３段以上設けてもよい。また設ける場所は胸部の下であれば腹部以外の場所を含んでいてもよい。
【００６４】
図２に示すように、前身頃１０１と後身頃１０３との間の左右両側には、側部１０２が設けられている。側部１０２には、腹部に近接する位置に１つの第２の収納部１２が設けられ、第２の収納部１２には第２の膨出部材１２ａが収納される。また、第２の収納部１２には、第２の膨出部材１２ａを出し入れするための開口１２ｂが設けられている。図２に示す実施形態において、第２の収納部１２は腹部の近接する位置に１つ設けているが、その数や位置は任意であり得る。例えば、腹部および下腹部に近接する位置に上下２つの第２の収納部１２を設けてもよいし、腹部および下腹部に近接する位置に大きい１つの第２の収納部を設け、その中に、１つもしくは複数の第２の膨出部材を設けるようにしてもよい。
【００６５】
図４に示すように、本発明の上半身を覆う衣類１００は、前身頃１０１の肩部に第１の膨出部材１１ａを収納する第１の収納部１１を設けることにより、肩部周りのサイズが大きくなる。その結果、着用した際に女性に特徴的な肩部から胸部にかけて膨らみを有するボディーラインが形成されるのを抑制することが可能となる。また、肩部周りのサイズが大きくなるため、男性に特徴的な肩厚のボディーラインを形成することが可能となる（例えば、図４のＲ部を参照）。
【００６６】
また、第１の収納部１１には開口１１ｂを設けてあるので、第１の膨出部材が出し入れでき、所望の第１の膨出部材１１ａに交換することが可能となる。
【００６７】
また、本発明の上半身を覆う衣類１００は、側部１０２に第２の膨出部材１２ａを収納する第２の収納部１２を設けることによって、脇（特に腹部）周りのサイズが大きくなる。その結果、着用した際に女性に特徴的な胸部から腹部にかけてくびれを有するボディーラインが形成されるのを抑制することが可能となる。また、第２の収納部１１には開口１２ｂを設けてあるので、第２の膨出部材１２ａが出し入れでき、所望の第２の膨出部材１２ａに交換可能である（例えば、図４のＢ部を参照）。
【００６８】
また、本発明の上半身を覆う衣類１００は、前身頃１０１の胸部よりも下部（例えば、腹部）に第３の膨出部材１３ａを収納する第３の収納部１３を設けることによって、着用した際に胸部よりも下部に盛り上がりを形成される。その結果、女性に特徴的な腰部から胸部の膨らみを有するボディーラインが形成されるのを抑制することが可能となる。また、胸部の下部周りのサイズが大きくなるため、男性に特徴的な筋肉を有するボディーラインを模倣することが可能となる。また、第３の収納部１３には開口１３ｂを設けてあるので、第３の膨出部材１３ｂが出し入れでき、所望の第３の膨出部材１３ａに交換することが可能となる（例えば、図４のＢ部を参照）。
【００６９】
さらに、本発明の上半身を覆う衣類１００は、前身頃１０１が裏地１０１ｂを有し、裏地１０１ｂは、伸縮率が約２５０％〜約３５０％であるポリウレタンを含む伸縮性布地を含むようにすることによって、着用した際に、前身頃１０１が肌に沿って押し付けられる。その結果、肩部に設けられた第１の膨出部材１１ａや胸部より下部に設けられた第３の膨出部材１３ａによって形成される盛り上がりをより効果的に表すことが可能となる。また、裏地１０１ｂには裏当て布地１１１を設けていることから、伸縮性布地１１２による肌への押し付けが緩和され、着用者の着心地を良好にすることが可能となる。
【００７０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【００７１】
本発明は、上半身を覆う衣類の分野において、女性が着用したときに女性に特徴的なボディーラインの形成を抑制し、男性的に見せることができる衣類を提供できるものとして有用である。
【符号の説明】
【００７２】
１１  第１の収納部
１１ａ  第１の膨出部材
１２  第２の収納部
１２ａ  第２の膨出部材
１３  第３の収納部
１３ａ  第３の膨出部材
１００  上半身を覆う衣類
１０１  前身頃
１０２  側部
１０３  後身頃
【要約】
【課題】本発明の課題は、上半身を覆う衣類を女性が着用したときにボディーラインを男性的に見せることができる衣類を提供することである。
【解決手段】本発明の衣類（１００）は、前身頃（１０１）と後身頃（１０３）とを備えた身体の上半身を覆う衣類であって、前身頃（１０１）の左右の少なくとも一方に第１の収納部（１１）を設け、第１の収納部（１１）は、第１の膨出部材（１１ａ）を収納するように構成されているものである。
【選択図】図２【図１】
0006664761.tif 000002
【図２】
0006664761.tif 000003
【図３】
0006664761.tif 000004
【図４】
0006664761.tif 000005